(57)【要約】【課題】パチンコ・パチスロ機等の中枢部である電子回路部への不正行為が横行し、パチンコ・パチスロ等の遊技機を設置する遊技機ホールの経営者達が、年間数千億円にも達する莫大な損害を蒙っているだけではなく、善良なる遊技機愛好者たる一般市民達も間接的に大きな影響を受けている。このような遊技機への不正行為と遊技機ホール経営者達の損害を確実に軽減し、一般市民達の遊技機業界への信頼度を高めその健全性を向上させる。【解決手段】１上蓋、２切断中蓋、３蓋開放検出回路、４底箱から構成される封止箱と、フレキシブル・フラット・ケーブルで作られた５封止線材の組合せによって、電子回路を収容する透明樹脂製箱すなわち６収容箱への開封現象を電気的に瞬時に検知でき，電子回路部への不正行為を確認することにより迅速な対応が可能となる。【選択図】図２
2007090013.tif 000002
【特許請求の範囲】
【請求項１】
パチンコ・パチスロ機等の遊技機における電子回路部を収容する透明樹脂製箱すなわち収容箱の異常開封を検知する監視システム。
【発明の詳細な説明】
【発明の詳細な説明】
【技術分野】
【０００１】本発明は断線検出式開封監視用センサ素材として，フレキシブル・フラット・ケーブルを用い開封事象を電気的に瞬時に検知することができる封止線材（以後ＦＦＣと略称）と、ＦＦＣの固定箱に関する。
【背景技術】
【０００２】パチンコ・パチスロ等の遊技機は、その作動の中心的な制御を機械的なものからマイクロコンピュータを使用した電子的なものに変化している。この電子回路には制御プログラムを格納するメモリーが搭載されており、そのメモリーを交換したり内容を書き換える行為が発生した場合、その事象を確認すべく機械的な封印「カシメ構造」やメーカー名を記した「封印シール」が利用されている。【０００３】「カシメ構造」や「封印シール」では問題が発生したことを確認するには、目視点検に依存することとなり，点検確認の精度は実行する検査員の個人的技量の差異により検査結果の信頼性が異なる可能性が極めて大きい。また検査した時刻が異常発見時刻となり異常を起こさせた行為がいつ行われたかを特定することが出来ないため、不正行為等の犯罪を抑止する力が乏しい。最近はこれらのメモリー等を搭載した電子基盤を格納する透明樹脂製箱すなわち収容箱ごと交換されるまでに至っている。これでは何らの証拠も残らないことになる。【０００４】このような事象を電気的に監視する手段として、粘着式の封止シールに電気的な閉回路を印刷技術によって設け、粘着式封止シールを剥離または切断された状態を異常発生と認識するものはあるが、以下の問題を解決する必要がある。【０００５】
【特許文献】  特公平１３−３３７６０５号公報
【発明の開示】
【発明が解決しようとする課題】
【０００６】上記のような粘着式封止シールをパチンコ・パチスロ等遊技機の制御回路が装填されている透明樹脂製箱すなわち収容箱に対して使用したとき、以下の問題の発生が考えられる。【０００７】パチンコ・パチスロ等遊技機は稼動時と非稼動時ではその機械を構成している機材の温度差が大きく、そこに貼付されたセンサのセンサ部すなわち粘着貼付面が温度変化による膨張力・収縮力に耐え切れず自己断線する。【０００８】また遊技機が非稼動となり温度が低下すると収縮して自己断線した部位が、導通状態に復帰する可能性があり非常に不安定である。【０００９】遊技機からパチンコ玉が落下し粘着式封止シールに直接当たった場合、引張り力が粘着貼付面にかかり自己断線する。【００１０】貼付される側の材質との相性によっては、時間の経過とともに自然剥離する可能性がある。これは貼付面が金属である場合に多く見られる。【００１１】貼付に失敗した場合張り直すこととなるが、貼付後即時薄利してもセンサ部分は破壊され、再度新品で貼付し直す等施工が煩雑になる。【００１２】粘着式封止シールの部位のうち「粘着性の無い導線部」に風があたり、粘着式封止シールが共振運動することがあり、このとき粘着貼付面のセンサ部と導線部の境界に曲げ力が加わり自己断線する可能性がある。これは振動する周波数によるが、正常状態と断線状態が極めて短時間に何度も繰り返されることを意味する。
【課題を解決するための手段】
【００１３】複数本の板状導線を樹脂フィルムで挟み込んだ配線材すなわちＦＦＣで封止する収容箱に十字状に巻き付けた後、その終端部と電気的に結合された監視機能を持つプリント配線基板と、プリント配線基板を内臓する固定箱と、十字状に巻き付けたＦＦＣを緩めたりずらせたり出来ないようにする固定金具で構成する。【００１４】固定箱はプリント配線基盤の一部にＦＦＣを巻きつけることが出来、固定箱上部を内側に折り曲げ上蓋下部を抱え込む爪状構造を有し、一旦組み合わされると破壊せずには開封できない構造を備えている。【００１５】遊技機の電子回路部を収容する収容箱を搭載する遊技機の特定部位たとえば収容箱を固定している柱状の部位や、周囲の格子状物・輪状物・穴・隙間などに、ＦＦＣを巻き込んで封緘すると、収容箱の開封だけではなく収容箱自体の取り外しをも監視することが出来る。【００１６】不正行為者が収容箱に不正行為を働く場合、ＦＦＣを切断したり収容箱に巻き付けたＦＦＣを除去しようとＦＦＣと固定箱のコネクター部分を取外したとき、不正行為が瞬時に検知される。【００１７】また不正行為者が固定箱を無理にこじ開けた場合も、上蓋開封認識スイッチ１および２によって固定箱の蓋の開封が検知され、収容箱への不正行為が認識される。
【発明の効果】
【００１８】本発明は、以上説明したように構成されているので、以下に記載されているような効果を奏する。【００１９】パチンコ・パチスロ機等の遊技機における最重要部位である電子回路部の収容箱の異常な開封を瞬時に検知し、電子回路部の不正な取替えや不正な変更の可能性を確認でき迅速な対応が可能となり、パチンコ・ホール経営者の損害を軽減することが出来る。【００２０】パチンコ・パチスロ機等の遊技機メーカーにおける製造過程での取り付けにより、工場出荷後の輸送途上・倉庫保管時等を含めて、いわゆる工場出荷から設置・廃棄までの不正監視に有効な手段となる。【００２１】パチンコ・パチスロ機等の遊技機業界における年間数千億円とも言われる巨大な損害を軽減化でき、不正行為等そのものの犯罪行為の減少化とともに、遊技機業界への信頼度向上に大きく役立つ。
【発明を実施するための最良の形態】以下、本発明の実施の形態を図１〜図１２に基づいて説明する。【００２２】図１において、２固定箱の中を通した３ＦＦＣで１収容箱を十字状に巻きつけて固定収容箱に対する不正行為が検知された場合、２固定箱に接続された５ＬＡＮケーブルよりその情報が監視サーバーに伝達され、迅速かつ適切な対応が可能になる。【００２３】図３・図４・図５において、２４３ＦＦＣコネクタに３１ＦＦＣ終端部１を挿入し２４１監視回路と電気的に接続する。接続された３ＦＦＣは２４３ＦＦＣコネクタから脱洛することを防ぐため、２４３ＦＦＣコネクタに出来るだけ近い部位で図４のごとく逆方向に折り曲げられ、２４監視回路基板の上部を通して図５のごとく２３４監視基板格納部に入れ２５底蓋で抑え込み２５１底蓋固定ビスによって固定箱の外箱に取り付ける。【００２４】図５において、２３固定箱の底部より出た３ＦＦＣで１収容箱を図１のごとく４ＦＦＣ交差部支持板を通して十字状に巻きつけた後、その終端部を図２における２３６ＦＦＣ導入口に挿入し２２センサ基板と電気的に接続する。【００２５】図７において、４１ＦＦＣ貫通口１は下向９０度，４２ＦＦＣ貫通口２は上向９０度、４３ＦＦＣ貫通口３は上向９０度、４４ＦＦＣ貫通口４は下向９０度に折り曲げておく。【００２６】図８において、図５の下部から出た３ＦＦＣの緩みを防ぎながら収容箱の底面の外側でＡ方向から４ＦＦＣ交差部支持板の４２ＦＦＣ貫通口２に挿入し、４ＦＦＣ交差部支持板の下部で下向きに折り曲げた後４４ＦＦＣ貫通口４に挿入しＢ方向に出す。出された３ＦＦＣを１収容箱に巻きつけた後Ｃ方向から４１ＦＦＣ貫通口１に挿入し、４ＦＦＣ交差部支持板の下部で上向きに折り曲げ４３ＦＦＣ貫通口３に挿入しＤ方向に出し、緩みがでないよう十字状にしっかり収容箱に巻きつける。
このように４ＦＦＣ交差部支持板を通して十字状に巻きつけられた３ＦＦＣは緩めたりずらせたりすることが非常に困難になり、セキュリティ強化を向上させる。【００２７】図１、図８において、１収容箱を十字状に巻き付けた後、図２における２５底蓋の底面に付いている２５２両面テープの剥離紙を剥がし、１収容箱の上面に２固定箱をしっかりと付着させ固定する。【００２８】図２において、図８で４３ＦＦＣ貫通口３をＤ方向に通過した３ＦＦＣは、２３６ＦＦＣ導入口に緊張状態を保ったまま導入され、図２、図９における２２３ＦＦＣ巻付部に３ＦＦＣの余剰分を数回巻付けることにより、外部からの引力にも摩擦抵抗により十分耐えることが出来るようになる。【００２９】図２・図９において、２２３ＦＦＣ巻付部に巻付けた後の３ＦＦＣの余剰分は図９のごとく２３１センサ格納部の右空間に収まるよう折り曲げて格納した後、図３の３２ＦＦＣ終端部２を２２２ＦＦＣコネクタに差込み２２センサ基板部分との電気的な接続を行った後、２２センサ基板を２３固定箱のセンサ基板格納部に上から嵌め込む。【００３０】図２・図５において、２３１センサ基板格納部の上から２１上蓋を２３固定箱に嵌めこみ、４本の上蓋固定ビスで２３固定箱の外箱にしっかりと固定する。【００３１】図１２において、２３固定箱の上部の凹状部位が２１上蓋下部の凸部部位を抱え込む爪状構造を有し、一旦組み合されると容易に開封出来ない構造となっており、それでも上蓋がこじ開けられた場合は２２１上蓋開封検出スイッチ１又は２２４上蓋開封スイッチ２が作動し、瞬時に開封事象が検知される。【００３２】図１０・図１１において２２センサ基板上の２２１上蓋開封検出スイッチ１と２２４上蓋開封検出スイッチ２の上部から２１上蓋で押し込み固定することで、上蓋がこじ開けられた瞬間に２２１上蓋開封検出スイッチ１と２２４上蓋開封検出スイッチ２が作動し開封事象が検知される。
【図面の簡単な説明】
【００３２】
【図１】  開封監視システム全体を示す立体図
【図２】  固定箱全体の部品構成図
【図３】  監視回路基板のＦＦＣコネクタとＦＦＣ終端部を示す図
【図４】  監視回路基板上のＦＦＣの接続状況を示す図
【図５】  固定箱の断面より見たＦＦＣの状況を示す図
【図６】  ＦＦＣ交差部支持板の平面図
【図７】  ＦＦＣ交差部支持板の立体図
【図８】  ＦＦＣ交差部支持板を利用したＦＦＣの交差方法を示す図
【図９】  センサ基板上でのＦＦＣの巻付け方法を示す図
【図１０】  固定箱の断面より見た上蓋開封検出スイッチの状況を示す図
【図１１】  上蓋開封検出スイッチを押し込んだ上蓋と固定箱の断面図
【図１２】  固定箱上部の爪状構造と上蓋の状況を示す断面図
【符号の説明】
【００３３】１      収容箱
２      固定箱
２１    上蓋
２２    センサ基板
２２１  上蓋開封検出スイッチ１
２２２  ＦＦＣコネクタ
２２３  ＦＦＣ巻付部
２２４  上蓋開封検出スイッチ２
２３    固定箱の外箱
２３１  センサ基板格納部
２３２  センサ基板格納部底板
２３４  監視基板格納部
２３５  上蓋固定ビス孔
２３６  ＦＦＣ導入口
２４    監視回路基板
２４１  監視回路
２４２  ＬＡＮレセプタクル
２４３  ＦＦＣコネクター
２５    底板
２５２  底板固定ビス
３      ＦＦＣ
３１    ＦＦＣ終端部１
３２    ＦＦＣ終端部２
４      ＦＦＣ交差部支持板
４１    ＦＦＣ貫通口１
４２    ＦＦＣ貫通口２
４３    ＦＦＣ貫通口３
４４    ＦＦＣ貫通口４
５      ＬＡＮケーブル
５１    ＬＡＮコネクタ
【図１】
2007090013.tif 000003
【図２】
2007090013.tif 000004
【図３】
2007090013.tif 000005
【図４】
2007090013.tif 000006
【図５】
2007090013.tif 000007
【図６】
2007090013.tif 000008
【図７】
2007090013.tif 000009
【図８】
2007090013.tif 000010
【図９】
2007090013.tif 000011
【図１０】
2007090013.tif 000012
【図１１】
2007090013.tif 000013
【図１２】
2007090013.tif 000014
【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
パチンコ・パチスロ機等の遊技機における電子回路部を収容する透明樹脂製箱すなわち収容箱の異常開封を検知する監視システム
【請求項２】
請求項１において、複数本の板状導線を樹脂フィルムで挟み込んだ配線材すなわちフレキシブル・フラット・ケーブル（以下、ＦＦＣという）を封止線材として、封止する収容箱に帯状もしくは十字状に巻き付けた後、その終端部と電気的に結合された監視機能を持つプリント配線基盤と、プリント配線基盤を内臓する固定箱と、十字状に巻き付けたＦＦＣを緩めたりずらせたり出来ないようにする固定金具で構成し、ＬＡＮケーブルを通じてパチンコ・パチスロ機等の遊技機への不正行為を監視する監視サーバーへの電気的結合によって収容箱の異常開封の情報を瞬時に伝達することを特徴とする、収容箱の異常開封を検知する監視システム
【請求項３】
請求項２における固定箱はプリント配線基盤の一部にＦＦＣを巻きつけることが出来、固定箱上部を内側に折り曲げ上蓋下部を抱え込む爪状構造を有し、一旦組み合わされると破壊せずには開封できない構造を持つことを特徴とする、収容箱の異常開封を検知する監視システム。
【請求項４】
請求項２における固定箱は無理にこじ開けた場合、センサ基盤に取付けられた上蓋開封認識スイッチ１および２によって、固定箱の蓋の開封が検知され収容箱への不正行為が検知できることを特徴とする、収容箱の異常開封を検知する監視システム。
【請求項５】
請求項２において、遊技機の電子回路部を収容する収容箱を、搭載する遊技機の特定部位たとえば収容箱を固定している柱状の部位や周囲の格子状物・輪状物・穴・隙間などにＦＦＣを巻き込んで封緘すると、収容箱の開封だけではなく収容箱自体の取り外しをも監視することが出来ることを特徴とする、収容箱の異常開封を検知する監視システム。